(57)【要約】  第１の電子装置と電源ユニットとを備える構成、および、電子装置の動作方法。本発明は、第１の電子装置と、主電源１０からの電気動作エネルギーを第１の電子装置２に供給するための電源ユニットを備える構成に関する。第１の電子装置２は評価ユニットと標準インターフェースを有する。評価ユニットは第１の電子装置２を動作状態から少なくとも省エネ状態の１つに、および、少なくとも省エネ状態の１つから動作状態に切り替える。標準インターフェースは、第１の電子装置２と第２の電子装置３を接続するためのものである。さらに、本発明は上記のように第１の電子装置２の動作方法に関する。【選択図】図１
2011503692.tif 000002
【特許請求の範囲】
【請求項１】
第１の電子装置（２）と、第１の電子装置（２）に主電源（１０）からの電気動作エネルギーを供給する電源ユニット（７）を備える構成であって、
前記第１の電子装置（２）は、
前記電源ユニット（７）に接続されており、前記第１の電子装置（２）を動作状態から少なくとも省エネ状態の１つに、および、少なくとも省エネ状態の１つから動作状態に切り替え、前記第１の電子装置（２）が省エネ状態に切り換えられた場合には前記電源（７）を停止させ、前記第１の電子装置（２）が動作状態に切り替えられた場合には前記電源（７）を動作させる評価ユニットと、
前記第１の電子装置（２）を前記第２の電子装置（３）に接続するために、前記第２の電子装置（３）から受け取った補助電気エネルギーを前記評価ユニットに供給する標準インターフェース（４）と、を備える、
ことを特徴とする構成（１）。
【請求項２】
前記標準インターフェース（４）は補助電線を有しており、前記評価ユニットはその補助電線に接続されていることを特徴とする請求項１に記載の構成（１）。
【請求項３】
前記評価ユニットは、前記第１の電子装置（２）または前記第２の電子装置（３）の休止期間を決定するためのタイマに接続されることを特徴とする請求項１または２に記載の構成（１）。
【請求項４】
前記タイマは、前記第２の電子装置（３）に配置され、前記標準インターフェース（４）経由で前記評価ユニットに接続されていることを特徴とする請求項３に記載の構成（１）。
【請求項５】
前記標準インターフェース（４）は、前記第２の電子装置（３）に前記第１の電子装置（２）を接続するためのグラフィックインターフェース（例えば、ＶＧＡ、ＤＶＩ、ＨＤＭＩ、ディスプレイポート、または、ＳＣＡＲＴ／ＡＶインターフェース）であり、
前記第２の電子装置（３）は、コンピュータ、レシーバまたはその他のイメージソースである、
ことを特徴とする請求項１乃至４のいずれか１項に記載の構成（１）。
【請求項６】
前記第１の電子装置（２）は、ディスプレイスクリーンおよびスケーリングユニットから構成されるディスプレイ装置であり、
前記スケーリングユニットは、前記グラフィックインターフェースと前記ディスプレイスクリーンに接続され、前記グラフィックインターフェースから受信したグラフィック信号に基づいて、前記ディスプレイスクリーンのための出力信号を生成する
ことを特徴とする請求項５に記載の構成（１）。
【請求項７】
前記評価ユニットは前記スケーリングユニットに組み込まれている
ことを特徴とする請求項６に記載の構成（１）。
【請求項８】
前記スケーリングユニットは、省エネルギー状態の中の省電力状態中、マイクロコントローラ（１７）に動作エネルギーを供給するための前記グラフィックインターフェースに接続されたマイクロコントローラ（１７）を備える
ことを特徴とする請求項７に記載の構成。
【請求項９】
前記マイクロコントローラ（１７）は、さらに、動作モード中、前記スケーリングユニットための少なくとも１つの制御信号を生成する
ことを特徴とする請求項８に記載の構成。
【請求項１０】
前記電源ユニット（７）は、前記第１の電子装置（２）に組み込まれている
ことを特徴とする請求項１乃至９のいずれか１項に記載の構成（１）。
【請求項１１】
前記電源ユニット（７）は、前記第１の電子装置（２）に接続された電源ユニット（７）を制御するためのスイッチング素子を有し、
前記評価ユニットは、省エネ状態の間、前記スイッチング素子を解放する、
ことを特徴とする請求項１乃至１０のいずれか１項に記載の構成。
【請求項１２】
前記スイッチング素子は前記主電源（１０）と前記電源ユニット（７）の間の第１の電線上に配置され、
前記スイッチング素子を解放することによって前記電源ユニット（７）を停止する、
ことを特徴とする請求項１１に記載の構成（１）。
【請求項１３】
前記スイッチング素子は前記電源ユニット（７）から前記主電源（１０）を電気的に切り離すためのリレー（１２）を有している、
ことを特徴とする請求項１２に記載の構成（１）。
【請求項１４】
前記電源ユニット（７）と前記主電源（１０）を接続するためのバイパススイッチ（１３）が、前記スイッチング素子に平行に配置されている、
ことを特徴とする請求項１２または１３に記載の構成（１）。
【請求項１５】
前記電源ユニット（７）はスイッチングパワーコンバータを有し、
前記スイッチングパワーコンバータは、パルス幅変調制御信号を使用して前記スイッチングパワーコンバータのデューティサイクルを制御するための半導体スイッチを少なくとも１つ有しており、
前記電源ユニット（７）は、前記パルス幅変調制御信号が停止されることによって停止する、
ことを特徴とする請求項１１に記載の構成（１）。
【請求項１６】
前記評価ユニットのマイクロコントローラ（１７）により前記パルス幅変調制御信号が供給される
ことを特徴とする請求項１５に記載の構成（１）。
【請求項１７】
省エネ状態と動作状態を持つ第１の電子装置（２）を操作するための方法であって、
前記第１の電子装置（２）と第２の電子装置（３）とを接続する標準インターフェース（４）を使って、前記第２の電子装置（３）から電気補助エネルギーを受け取るステップと、
電気補助エネルギーを受け取って、前記第１の電子装置（２）の評価ユニットを動作するステップと、
前記評価ユニットを使用して活性化信号を検出するステップと、
前記評価ユニットに接続された電源ユニット（７）を、前記第１の電子装置（２）に電気動作エネルギーを供給するために動作させることによって、前記第１の電子装置（２）を動作状態に切り替えるステップと、
を有することを特徴とする方法。
【請求項１８】
前記評価ユニットを使用して非活性化信号を検出するステップと、
前記電源ユニット（７）を停止することによって、前記第１の電子装置（２）を省エネ状態に切り替えるステップと、
をさらに有することを特徴とする請求項１７に記載の方法。
【請求項１９】
前記活性化信号もしくは前記非活性化信号の少なくとも１つが、前記標準インターフェース（４）経由で前記第２の電子装置（３）から供給される
ことを特徴とする請求項１７または１８に記載の方法。
【請求項２０】
前記標準インターフェース（４）からの前記電気補助エネルギーの供給が活性化信号として機能することを特徴とする請求項１９に記載の方法。
【請求項２１】
前記標準インターフェース（４）からの少なくとも1つの同期信号の供給が前記活性化信号として機能することを特徴とする請求項１９に記載の方法。
【発明の詳細な説明】
【技術分野】
【０００１】
本発明は、第１の電子装置と、主電源からの電気動作エネルギーを電子装置に供給するための電源ユニットとを備える構成に関する。特に、省エネ状態を少なくとも１つ有する電子装置に関する。
【背景技術】
【０００２】
電子装置の多くは、主電源からの電気動作エネルギーの供給のために、内蔵のまたは外付の電源ユニットを使用している。例えば、コンピュータスクリーン（例えば液晶モニター）、プリンタ、または、スキャナは、通常、動作のため、主電源に接続される。このような電子装置の多くは、装置の大部分の機能を停止する省エネ状態を少なくとも１つ有している。この省エネ状態では、電子装置の消費電力は大幅に抑制される。例えば、動作中の標準消費電力が４０Ｗの液晶モニターは、バックライト、および／または、スケーリング機能を停止するいわゆるスタンバイモードになることで、わずか２〜４Ｗの消費電力になる。
【発明の概要】
【発明が解決しようとする課題】
【０００３】
しかしながら、電子装置は、スタンバイモード、または、他の省エネ状態になってもなお、わずかに電気エネルギーを必要としている。この理由の１つは、電子装置が完全な動作モードに戻る時であるかを決定するために、電子装置に対する入力や接続をモニターする必要があるからである。例えば、プリンタは、ネットワークポートをモニターすることで、新たな有効な印刷ジョブを監視している。
【０００４】
わずかな電力しか消費しない場合の電源ユニットの効率は通常低いものであるので、スタンバイモードにおけるエネルギー損失はトータルでは相当な量になるおそれがある。
【０００５】
本発明は、省エネ状態おける電子装置のエネルギー消費を抑制することを目的の１つとする。これは、省エネ状態の電子装置のエネルギー消費を、ゼロ、または、ほぼゼロワットにすることに特化した試みである。
【課題を解決するための手段】
【０００６】
本発明の第１の実施形態によると、第１の電子装置と、主電源からの電気動作エネルギーを第１の電子装置に供給する電源ユニットとを備える構成を提供できる。このとき、第１の電子装置は電源ユニットに接続された評価ユニットを有し、評価ユニットは第１の電子装置を動作状態から少なくとも省エネ状態の１つに、および、少なくとも省エネ状態の１つから動作状態に切り替える。さらに、評価装置は、第１の電子装置が省エネ状態に切り換えられた場合には電源ユニットを停止し、第１の電子装置が動作状態に切り替えられた場合には電源ユニットを動作させる。さらに、第１の電子装置は、第１の電子装置を第２の電子装置に接続するために、第２の電子装置から受け取った電気補助エネルギーを評価ユニットに供給する標準インターフェースを有する。
【０００７】
少なくとも省エネ状態の１つにおいて、評価ユニットが電源ユニットを停止できるようにすることにより、電源ユニットの消費電力をゼロにすることができる。しかも、評価ユニットの継続動作が可能にするために、第２の電子装置が標準インターフェースから補助電気エネルギーを供給する。
【０００８】
有利な実施形態によると、標準インターフェースは補助電線を有しており、評価ユニットはその補助電線に接続されている。このような補助電線は、グラフィックインターフェースや周辺機器インターフェースのような多くの標準インターフェースで利用可能であり、評価ユニットに簡単で電力効率のよい方法で、補助エネルギーを供給することができる。
【０００９】
更なる実施形態によると、評価ユニットは第１または第２の電子装置の休止期間を決定するためのタイマに接続される。更なる実施形態では、タイマは第２の電子装置に配置され、標準インターフェース経由で評価ユニットに接続される。第１または第２の電子装置内のタイマに接続された評価ユニットにより、所定期間経過後、省エネ状態にされてもよい。
【００１０】
更なる有利な実施形態によると、標準インターフェースは、第２の電子装置に第１の電子装置を接続するためのグラフィックインターフェース（例えば、ＶＧＡ、ＤＶＩ、ＨＤＭＩ、ディスプレイポート、または、ＳＣＡＲＴ／ＡＶインターフェース）である。また、第２の電子装置はコンピュータやレシーバである。
【００１１】
イメージソース（例えば、コンピュータ、レシーバ、または、グラフィックインターフェースにより接続されるその他の電子装置）を備える構成において、イメージソースは、通常、第１の電子装置の省エネ状態を有効にしたり無効にしたりするための信号を制御供給する。この場合、イメージソースからの補助エネルギーを、第１の電子装置に電気補助エネルギーを供給するために使用してもよい。
【００１２】
更なる有利な実施形態によると、第１の電子装置は、ディスプレイスクリーンおよびスケーリングユニットを備えるディスプレイである。このとき、スケーリングユニットは、グラフィックインターフェースおよびディスプレイスクリーンに接続され、グラフィックインターフェースから受信したグラフィック信号に基づいて、ディスプレイスクリーンのための出力信号を生成する。更なる実施形態によると、評価ユニットはスケーリングユニットに組み込まれる。一般に、評価ユニットをディスプレイ装置に組み込むことにより（とりわけスケーリングユニットに組み込むことにより）、ディスプレイ装置を有する多くの電子装置の中に評価ユニットを実装できる。
【００１３】
更なる実施形態によると、スケーリングユニットはグラフィックインターフェースに接続されたマイクロコントローラを有しており、グラフィックインターフェースは、省エネモード中、マイクロコントローラに動作エネルギーを供給してもよい。なお、マイクロコントローラは、評価ユニットとして機能してもよい。更なる実施形態によると、マイクロコントローラは、さらに、動作モード中、スケーリングユニットための少なくとも１つの制御信号を生成する機能を有していてもよい。
【００１４】
スケーリングユニットにマイクロコントローラを組み込むことにより、容易に評価ユニットを実装することができる。特に、マイクロコントローラが動作モード中の制御信号生成にも、省エネモード中の電源制御にも使用されるのであれば、評価ユニットを実装するための追加の構成要素は必要ない。
【００１５】
更なる有利な実施形態によると、電源は、第１の電子装置に接続された電源ユニットを制御するためのスイッチング素子を有し、評価ユニットは、省エネ状態の間、そのスイッチング素子を解放する。省エネ状態でスイッチング素子を解放することにより、電源ユニットを停止することができる。
【００１６】
更なる有利な実施形態によると、スイッチング素子は主電源と電源ユニットの間の第１の電線上に配置されており、そのスイッチング素子を解放することによって電源ユニットが停止される。更なる実施形態によると、そのスイッチング素子は電源ユニットと主電源を電気的に切り離すためのリレーを有している。第１の電線上に配置されたスイッチング素子（例えばリレー）を使用することにより、電源ユニットを主電源から電気的に切り離すことができる。
【００１７】
更なる実施形態によると、電源ユニットと主電源を接続するバイパススイッチがスイッチング素子に平行に配置されている。バイパススイッチを使用することにより、電源ユニットは手動で再動作される。
【００１８】
更なる有利な実施形態によると、電源ユニットはスイッチングパワーコンバータを有し、そして、スイッチングパワーコンバータはパルス幅変調制御信号を使用してスイッチングパワーコンバータのデューティサイクルを制御する半導体スイッチを少なくとも1個有しており、そして、電源ユニットはパルス幅変調制御信号を停止することによって停止する。パルス幅変調制御信号を停止することによって、電源ユニットに何ら部品を追加することなく、スイッチングパワーコンバータを停止することができる。
【００１９】
更なる実施形態によると、評価ユニットのマイクロコントローラによりパルス幅変調制御信号が供給される。パルス幅変調制御信号の生成機能を評価ユニットの機能に組み込むことによって、省エネ状態を有する構成を実現するのに必要な部品の数をさらに減少できる。事実、電子装置が電源のスイッチを制御するマイクロコントローラをすでに有しているのであれば、追加の電子部品は必要ない。
【００２０】
本発明の第２の実施形態によると、省電力状態と動作状態を有する第１の電子装置の祖動作方法を提供する。この方法は、
第１と第２の電子装置を接続する標準インターフェースにより、第２の電子装置から電気補助エネルギーを受け取るステップと、
受け取った電気補助エネルギーで、第１の電子装置の評価ユニットを動作させるステップと、
評価ユニットを使って活性化信号を検出するステップと、
評価ユニットに接続された電源ユニットを、第１の電子装置に電気動作エネルギーを供給するために動作させ、第１の電子装置を動作状態に切り換えるステップと、
から構成される。
【００２１】
上記方法により、第１の電子装置の電源ユニットを常時動作させることなく、第１の電子装置を省エネ状態から動作状態にすることができる。
【００２２】
更なる有利な実施形態は、この明細書に添付の特許請求の範囲、および、以下に詳述される。
【００２３】
本発明の実施形態は以下の図を参照して説明される。
【図面の簡単な説明】
【００２４】
【図１】第１と第２の電子装置を備える構成に関する略図である。
【図２】第１の電子装置の動作方法を示すフローチャートである。
【発明を実施するための形態】
【００２５】
図１は、第１の電子装置２を備える構成１を示した図である。第１の電子装置２は第２の電子装置３に接続されている。第２の電子装置３は、例えば、コンピュータ、もしくは、同様の電子装置である。第１の電子装置２は周辺機器、例えば、コンピュータモニターやプリンタである。
【００２６】
第１の電子装置２と第２の電子装置３は、１つまたは複数の標準インターフェース４によって接続されている。図１に示した実施例では、４つの標準インターフェース４ａ〜４ｄが、第１の電子装置２と第２の電子装置３を接続するのに利用される。例えば、第１の標準インターフェース４ａはディスプレイポートインタフェースであり、第２の標準インターフェース４ｂはＶＧＡインターフェースであり、第３の標準インターフェース４ｃはＤＶＩインターフェースであり、そして、第４の標準インターフェース４ｄはＨＤＭＩインターフェースである。
【００２７】
さらに、図１に示したように、第１の電子装置２は４つの第１のコネクタ５ａ〜５ｄを備え、第２の電子装置３はそれぞれ標準インターフェース４ａ〜４ｄに対応する４つの第２のコネクタ６ａ〜６ｄを備えている。なお、第１の電子装置２と第２の電子装置３は、それぞれ異なった数と種類の標準インターフェース４、第１のコネクタ５、および、第２のコネクタ６を備えていてもよい。本発明の構成１においては、１個の互換性のある標準インターフェース４を、第１の電子装置２および第２の電子装置３で共有すれば十分である。
【００２８】
第１の電子装置２は電源ユニット７に接続されている。電源ユニット７は第１の電子装置２に内蔵されていてもよいし、外付であってもよい。電源ユニット７は第１の電子装置を主電源１０に接続する。そのために、電源ユニット７はＡＣ／ＤＣパワーモジュール１１、リレー１２、スイッチ１３、およびコンデンサー１４を備える。
【００２９】
ＡＣ／ＤＣパワーモジュールを主電源１０の１つまたは２つの端子に接続するにあたっては、リレー１２もしくはスイッチ１３を使用してもよい。スイッチ１３とリレー１２の両方が解放されると、ＡＣ／ＤＣパワーモジュール１１は主電源１０から物理的に切断され、電気エネルギーが全く消費されない状態になる。スイッチ１３を解放することによって、以下に説明するように、第１の電子装置は省エネモードになる。また、スイッチ１３を閉じることによって、第１の電子装置は従来どおり動作する。
【００３０】
第１の電子装置２は、スケーラーボード８と液晶（ＬＣＤ）パネル９から構成される。スケーラーボード８は、スケーラーチップ１５、ＤＣ／ＤＣコンバータ１６、および、マイクロコントローラ１７から構成される。スケーラーチップ１５は、液晶パネル９のための適切な駆動信号を生成するために、標準インターフェース４ａ〜４ｄのいずれか１つから受け取ったアナログもしくはデジタルデータをスケーリングするよう構成される。例えば、ＭＳｔａｒ社の集積回路ＭＳＴ６２５１ＤＡ−ＬＦ−１６５が使用される。ＤＣ／ＤＣコンバータ１６は、標準インターフェース４ａ〜４ｄのいずれか１つから供給された補助電圧ＶＡＵＸを、マイクロコントローラ１７に供給するための電圧ＶＣＣに変換するためのものである。
【００３１】
マイクロコントローラ１７は、標準インターフェース４に接続された割込線１８、１９およびＡＣ／ＤＣパワーモジュール１１をそれぞれモニターしている。第１の割込線１８は、例えば、標準インターフェース４ａ〜４ｄの１つまたは複数の中の一部である垂直および／または水平同期信号に接続される。マイクロコントローラ１７が、第１の割込線１８上に割り込み信号（例えば、ＶＧＡインターフェース４ｂを経由して供給された水平および／または垂直同期信号の立ち上がりまたは立ち下がり）を検出すると、マイクロコントローラ１７は信号線２０を使って電源ユニット７のリレー１２を閉じる。第２の割込線１９は、ＡＣ／ＤＣパワーモジュール１１がＡＣ入力電圧（すなわち主電源１０）を備えているかどうかを示している。すなわち、第２の割込線１９は、リレー１２もしくはスイッチ１３が閉じているかどうかを示している。第２の割込線１９がＡＣパワーを指し示している場合、第１の電子装置はマイクロコントローラ１７によって動作状態に切り換えられる。そうでない場合、第１の電子装置は省エネ状態に切り換えられる。省エネ状態において、マイクロコントローラは第２の電子装置３によって補助エネルギーだけを供給されるか、もしくは、完全にスイッチを切られる。
【００３２】
例えばスイッチ１３が閉じられるならば、第２の電子装置３から独立して電源ユニット７を永続的に動作させるために、マイクロコントローラ１７もまたリレー１２を閉じてもよい。このように、マイクロコントローラ１７は、一般に第１の電子装置２を起動するために、特にスケーラーボード８を起動するために、主電源１０からあらかじめ切断されていた電源ユニット７を動作させてもよい。逆に、マイクロコントローラ１７が、第１の電子装置２の使用停止を第１の割込線１８またはアイドルタイマーによって検知したなら、マイクロコントローラ１７は制御ライン２０を使ってリレー１２を解放し、その結果としてＡＣ／ＤＣパワーモジュール１１を主電源１０から切断してもよい。電源ユニット７から独立してマイクロコントローラ１７を動作させるために、マイクロコントローラ１７は、例えばＭｙｓｏｎ  ＣＳ８９５５マイクロコントローラのように、あまり電力を消費しない方が望ましい。
【００３３】
マイクロコントローラ１７は、直接（すなわち更なる増幅回路なしで）リレー１２を動作させるためのエネルギーを制御、供給するために使用されてもよい。このとき、コンデンサー１４を、リレー１２の状態変更に必要なエネルギーを供給するのに使用してもよい。一般的なマイクロコントローラの電流運転能力すなわち出力は限られており、この出力はリレー動作すなわちリレーの状態の変化に十分な出力ではない。例えばリレーコイルラッチングに必要な電力は通常１５０ｍＷから２００ｍＷであり、マイクロコントローラの汎用出力ピンの最大出力は一般的に４０ｍＷ未満である。これは、通常のリレーラッチングに必要な電力よりも少ない。この問題を解決するために、ラッチングリレー１２に平行にシリアルコンデンサー１４を配置する。このシリアルコンデンサー１４は、最終的に、マイクロコントローラ１７により充電され、リレーラッチング動作に必要な電力を供給する。
【００３４】
ここで、ディスプレイ装置にはよく知られた規格の省エネモードが存在する点に注意する必要がある。特に、ＶＥＳＡ  ＤＰＭＳ規格のスリープモードでは、電気補助エネルギーはコンピュータのグラフィック部品によって供給される。このモードでは、第１の電子装置２（例えば液晶モニター）の電力消費量を補助電力（例えば２５０ｍＷ未満）以下に制限することによって、電源ユニット７を停止する。ＶＥＳＡ  ＤＰＭＳ規格のオフモード（すなわち、コンピュータがスタンバイに切り換えられるか、または完全にオフにされた状態）では、電気補助エネルギーもまた切断され、その結果、第１の電気装置のエネルギー消費はゼロになる。それにもかかわらず、第１の電子装置２は、以下に説明するように、どんなユーザーインタラクションもなしに起動され動作状態になる。
【００３５】
図２は、本実施形態にかかる第１の電子装置２を操作するための方法のフローチャートである。
【００３６】
最初のステップ２１では、第１の電子装置２と第２の電子装置３を接続する標準インターフェース４より補助電圧ＶＡＵＸを受け取る。例えば、ディスプレイポートコネクタ５ａは２０番ピンより最大電流５００ｍＡの３．３Ｖ電圧を受け取る。ＶＧＡコネクタ５ｂは８番ピンより最大電流５０ｍＡの５Ｖ電圧を受け取る。ＤＶＩコネクタ５ｃは、１４番ピンより最大電流５０ｍＡの５Ｖ電圧を受け取る。ＨＤＭＡコネクタ５ｄは、１８番ピンより最大電流５０ｍＡの５Ｖ電圧を受け取る。このように、標準インターフェース４ａ〜４ｄのいずれか１つによって、少なくとも２５０ｍＷの補助エネルギーを得ることができる。
【００３７】
また、他のタイプの標準インターフェースによって補助電圧を供給してもよい。例えば、他の周辺機器をコンピュータ・システムに接続するのによく使用するＵＳＢポートは、１番ピンより５Ｖの電圧を供給する。また、シリアル、パラレルポートまたはＩＥＥＥ１３９４インターフェースなどの標準インターフェースは、３．３Ｖもしくは５Ｖの電圧を供給する。加えて、他のタイプの信号（例えばクロック信号）に含まれる電気エネルギーを、例えば、交流成分を整流することによって、または、変調信号を直流にすることによって、補助電気エネルギーに変換してもよい。
【００３８】
２番目のステップ２２では、第１の電子装置２の評価ユニットが操作される。図１の例となる実施形態では、マイクロコントローラチップ１７は評価ユニットとして機能しており、標準インターフェース４の中の１つより受け取った補助エネルギーを使って動作する。第１のコネクタ５ａ〜５ｄのいずれか１つより受け取った補助電圧ＶＡＵＸをマイクロコントローラ１７の所要の電圧に合わせるため、ＤＣ／ＤＣコンバータ１６が使用される。例えば、ＤＣ／ＤＣコンバータ１６は第１のコネクタ５ａ〜５ｄより供給された様々な補助電圧を一般的な３Ｖ電圧に変換するダウンコンバータであってもよい。
【００３９】
省電力モード中（すなわち、電源ユニット７が停止しているとき）、一般に第１の電子装置２のわずかな機能素子、特にスケーラーボード８に、ＤＣ／ＤＣコンバータ１６より生成された補助パワーが供給される。特に、スケーラーチップ１５は完全に停止される。マイクロコントローラ１７は、完全なスイッチオンモードのときより、より低い電圧、もしくは、より低い周波数で動作してもよい。加えて、図１に示していないスケーラーボード８のさらなる部品（例えば、低電圧差動信号回路のアナログ−デジタルコンバータ）を停止してもよい。
【００４０】
さらにステップ２３では、評価ユニットが活性化信号を検出する。例えば、マイクロコントローラ１７が、第１の割込線１８により標準インターフェース４ａ〜４ｄの１つから供給された同期信号を検出してもよい。あるいは、電源ユニット７それ自身、または、マイクロコントローラ１７内蔵のタイマ回路から別の活性化信号を受け取ってもよい。更なる実施例では、第２の電子装置３から標準インターフェース４ａ〜４ｄ経由で同期信号の形の信号が供給されないなら、マイクロコントローラ１７は、標準インターフェース４ａ〜４ｄの１つを所定の時間間隔で自ら監視し、電源ユニット７とスケーラーボード８を動作させてもよい。
【００４１】
さらにステップ２４では、電源ユニット７がスイッチオンされる。例えば、ＡＣ／ＤＣパワーモジュール１１を主電源１０に接続する。図１に示した実施例によると、リレー１２を閉じる。望ましくは、リレー１２は、ラッチング光電気リレー、ソリッドステートリレー、または電気機械ラッチングタイプのリレーである。ラッチングリレーは、特定のスイッチ状態を維持するためにエネルギーを必要としないという利点がある。光電気リレーもしくはソリッドステートリレーには、電気機械リレーに対してリレーの摩耗が大幅に減少するという利点がある。その結果、より長い期間にわたってリレー１２の動作を保証できる。上記詳細において、コンデンサー１４は事前に充電され（第1フェーズ）、リレー１２はその事前に充電したエネルギーを使用して切り替えられる（第２フェーズ）。
【００４２】
さらにステップ２５では、電源ユニットが電子装置２に動作電圧ＶＳを供給する。特に、ＡＣ／ＤＣパワーモジュール１１は、スケーラーボード８を動作させるための供給電圧ＶＳを生成する。また、評価ユニット（例えば、マイクロコントローラ１７）は、電源ユニット７が現在スイッチオンされ第１の電子装置２が動作モードであることを確認するためのフィードバック信号をＡＣ／ＤＣパワーモジュール１１から受け取る。この動作モードでは、マイクロコントローラ１７は、第２の電子装置３から受信したスイッチオフ信号を検出するために標準インターフェース４ａ〜４ｄをモニターし続けてもよい。この場合、評価ユニット４は、制御線２０とリレー１２によって電源ユニット７を停止してもよい。このステップは図２には示していない。
【００４３】
推奨の実施例では、マイクロコントローラ１７はＡＣ／ＤＣパワーモジュール１１の操作を制御する。ここで、ＡＣ／ＤＣパワーモジュール１１はスイッチングパワーコンバータを備えていてもよい。マイクロコントローラ１７はスイッチングパワーコンバータを制御するために、汎用Ｉ／Ｏ（ＧＰＩＯ）ピンを通してパルス幅変調制御信号を供給してもよい。スイッチング電源のクローズド・ループ・コントロールを可能にするため、電源７からのフィードバックピン（例えば、制御線１９）を、ＡＣ／ＤＣパワーモジュール１１を制御するのに使用してもよい。
【００４４】
省エネモードにおいて、マイクロコントローラ１７はパルス幅変調制御信号を完全に停止することによって、電源ユニット７を停止する。この場合、電源ユニット7に追加のリレー１２を設置する必要はない。もちろん、パルス幅変調制御信号とリレー１２両方を使用してもよい。例えば、マイクロコントローラ１７により、ＡＣ主電源１０とＡＣ／ＤＣパワーモジュール１１の入力の間に配置されたリレー１２、並びに、ＡＣ／ＤＣパワーモジュール１１の出力もしくは近くに配置されたスイッチング素子を停止する。
【００４５】
さらに、電源ユニット7は、第１の電子装置２に内蔵されていてもよいし、外付であってもよい。最後に、図１に別々の構成要素として示されている機能要素は、１個の半導体回路に集積されてもよいし、いくつかの半導体回路に分けて実装されてもよい。例えば、スケーラーチップ１５とマイクロコントローラ１７の機能は、受信データ信号のスケーリングに関する機能を非活性化できる限り、１個の一般的なチップに統合できる。
【００４６】
最後に、本実施形態で説明した回路と方法は、コンピュータと接続モニター、もしくは、他の周辺機を備える構成に制限されない。同様に、これらは、スレーブとして機能する第１の電子装置と、マスターとして機能する第２の電子装置とを備えるどのような構成にも使用できる。
【図１】
2011503692.tif 000003
【図２】
2011503692.tif 000004
【手続補正書】
【提出日】平成22年6月28日(2010.6.28)
【手続補正１】
【補正対象書類名】特許請求の範囲
【補正対象項目名】全文
【補正方法】変更
【補正の内容】
【特許請求の範囲】
【請求項１】
第１の電子装置（２）と、第１の電子装置（２）に接続され前記第１の電子装置（２）に主電源（１０）からの電気動作エネルギーを供給する電源ユニット（７）を備える構成であって、
前記電源ユニット（７）はスイッチングパワーコンバータを有し、
前記スイッチングパワーコンバータは、パルス幅変調制御信号を使用して前記スイッチングパワーコンバータのデューティサイクルを制御するための半導体スイッチを少なくとも１つ有しており、
前記第１の電子装置（２）は、
前記電源ユニット（７）に接続されており、前記第１の電子装置（２）を動作状態から少なくとも省エネ状態の１つに、および、少なくとも省エネ状態の１つから動作状態に切り替え、前記第１の電子装置（２）が省エネ状態に切り換えられた場合には前記電源（７）を停止させ、前記第１の電子装置（２）が動作状態に切り替えられた場合には前記電源（７）を動作させる評価ユニットと、
前記第１の電子装置（２）を前記第２の電子装置（３）に接続するために、前記第２の電子装置（３）から受け取った補助電気エネルギーを前記評価ユニットに供給する標準インターフェース（４）と、を備え、
前記評価ユニットは、前記電源ユニット（７）の前記スイッチングパワーコンバータを制御するためのパルス幅変調制御信号を供給し、
前記電源ユニット（７）は、省エネルギー状態において、前記パルス幅変調制御信号が停止されることによって停止する、
ことを特徴とする構成（１）。
【請求項２】
前記標準インターフェース（４）は補助電線を有しており、前記評価ユニットはその補助電線に接続されていることを特徴とする請求項１に記載の構成（１）。
【請求項３】
前記評価ユニットは、前記第１の電子装置（２）または前記第２の電子装置（３）の休止期間を決定するためのタイマに接続されることを特徴とする請求項１に記載の構成（１）。
【請求項４】
前記タイマは、前記第２の電子装置（３）に配置され、前記標準インターフェース（４）経由で前記評価ユニットに接続されていることを特徴とする請求項３に記載の構成（１）。
【請求項５】
前記標準インターフェース（４）は、前記第２の電子装置（３）に前記第１の電子装置（２）を接続するためのグラフィックインターフェース（例えば、ＶＧＡ、ＤＶＩ、ＨＤＭＩ、ディスプレイポート、または、ＳＣＡＲＴ／ＡＶインターフェース）であり、
前記第２の電子装置（３）は、コンピュータ、レシーバまたはその他のイメージソースである、
ことを特徴とする請求項１に記載の構成（１）。
【請求項６】
前記第１の電子装置（２）は、ディスプレイスクリーンおよびスケーリングユニットから構成されるディスプレイであり、
前記スケーリングユニットは、前記グラフィックインターフェースと前記ディスプレイスクリーンに接続され、前記グラフィックインターフェースから受信したグラフィック信号に基づいて、前記ディスプレイスクリーンのための出力信号を生成する
ことを特徴とする請求項５に記載の構成（１）。
【請求項７】
前記評価ユニットは前記スケーリングユニットに組み込まれている
ことを特徴とする請求項６に記載の構成（１）。
【請求項８】
前記スケーリングユニットは、省エネルギー状態中、マイクロコントローラ（１７）に動作エネルギーを供給するための前記グラフィックインターフェースに接続されたマイクロコントローラ（１７）を備える
ことを特徴とする請求項７に記載の構成。
【請求項９】
前記マイクロコントローラは（１７）、さらに、動作モード中、前記スケーリングユニットための少なくとも１つの制御信号を生成する
ことを特徴とする請求項８に記載の構成。
【請求項１０】
前記電源ユニット（７）は、前記第１の電子装置（２）に組み込まれている
ことを特徴とする請求項１乃至９のいずれか１項に記載の構成（１）。
【請求項１１】
前記評価ユニットのマイクロコントローラ（１７）により前記パルス幅変調制御信号が供給される
ことを特徴とする請求項１乃至９のいずれか１項に記載の構成。
【請求項１２】
パルス幅変調制御信号を使用してスイッチングパワーコンバータのデューティサイクルを制御するための半導体スイッチを少なくとも１つ有するスイッチングパワーコンバータを備え、第１の電子装置（２）に主電源（１０）からの電気動作エネルギーを供給するための電源ユニット（７）に接続された省エネ状態と動作状態とを持つ第１の電子装置（２）を操作するための方法であって、
前記第１の電子装置（２）と第２の電子装置（３）とを接続する標準インターフェース（４）を使って、前記第２の電子装置（３）から電気補助エネルギーを受け取るステップと、
前記電気補助エネルギーを受け取って、前記第１の電子装置（２）の評価ユニットを動作するステップと、
前記評価ユニットを使用して活性化信号を検出するステップと、
前記評価ユニットに接続された前記電源ユニット（７）を、前記第１の電子装置（２）に前記主電源（１０）からの前記電気動作エネルギーを供給するために動作させることによって、前記第１の電子装置（２）を動作状態に切り替えるステップと、
前記評価ユニットを使用して非活性化信号を検出するステップと、
前記電源ユニット（７）を停止することによって、前記第１の電子装置（２）を省エネ状態に切り替えるステップと、を有し、
前記評価ユニットは前記電源ユニット（７）の前記スイッチングパワーコンバータを制御するためのパルス幅変調制御信号を供給し、
前記電源供給ユニット（７）は、省エネ状態で、パルス幅変調制御信号が停止されることによって停止する、
ことを特徴とする方法。
【請求項１３】
前記活性化信号もしくは前記非活性化信号の少なくとも１つが、前記標準インターフェース（４）経由で前記第２の電子装置（３）から供給される
ことを特徴とする請求項１２に記載の方法。
【請求項１４】
前記標準インターフェース（４）からの前記電気補助エネルギーの供給が活性化信号として機能することを特徴とする請求項１３に記載の方法。
【請求項１５】
前記標準インターフェース（４）からの少なくとも1つの同期信号の供給が前記活性化信号として機能することを特徴とする請求項１３に記載の方法。
【国際調査報告】
2011503692.tif 000005
2011503692.tif 000006
2011503692.tif 000007